(57)【要約】      （修正有）【課題】限られた数の組付けステップで中間部の上にプッシャーを迅速に取り付けることを可能にする、新規のプッシャー組付け方法を提供する。【解決手段】管７、ステム８、少なくとも１つの封止用ガスケット５及び第１の固定停止部材４と第２の可動停止部材との間に配置された戻しばね３を含む封止機能モジュールを組み付ける事前ステップ、次に、封止機能モジュールをケース１００に組み付ける第１のステップ及び最後に、封止機能モジュールにプッシャー頭部１を組み付ける第２のステップＥ２を含む、時計ケース１００へのプッシャーのモジュール式組付け方法。【選択図】図４
2014122899.tif 000002
【特許請求の範囲】
【請求項１】
管（７）、ステム（８）、少なくとも１つの封止用ガスケット（５）及び第１の固定停止部材と第２の可動停止部材との間に配置された戻しばね（３）を含む封止機能モジュール（１０）を組み付ける事前ステップ、次に、前記封止機能モジュール（１０）をケース（１００）に組み付ける第１のステップ（Ｅ１）及び、最後に、プッシャー頭部（１）を前記封止機能モジュール（１０）に組み付ける第２のステップ（Ｅ２）を含むことを特徴とする、前記時計ケース（１００）へのプッシャーのモジュール式組付け方法。
【請求項２】
前記第１の組付けステップ（Ｅ１）において、前記管（７）を、管（７）に設けた回転駆動手段（７０）を使用して前記ケース（１００）に外側からねじ止めすることを特徴とする、請求項１に記載のプッシャーのモジュール式組付け方法。
【請求項３】
前記第２の組付けステップ（Ｅ２）は、前記ステム（８）と一体化した要素に前記プッシャー頭部（１）をねじ止めするステップを含むことを特徴とする、請求項１又は２に記載のプッシャーのモジュール式組付け方法。
【請求項４】
前記ねじ止めするステップは、前記時計ケース（１００）の内部に工具を挿入して前記ステム（８）を回転駆動させることにより達成される、請求項３に記載のプッシャーのモジュール式組付け方法。
【請求項５】
前記工具は、第１の雌型回転駆動手段（８０）又は第２の雄型駆動手段（８３）に作用させる、請求項４に記載のプッシャーのモジュール式組付け方法。
【請求項６】
前記第２の組付けステップ（Ｅ２）において、前記プッシャー頭部（１）をプッシャー・ハウジング（１０１）の底部に押し進めることを特徴とする、請求項３から５のうちいずれか一項に記載のプッシャーのモジュール式組付け方法。
【請求項７】
前記第２の組付けステップ（Ｅ２）において、前記ステム（８）と一体化した要素上に前記プッシャー頭部（１）を駆動させることを特徴とする、請求項１又は２に記載のプッシャーのモジュール式組付け方法。
【請求項８】
管（７）、ステム（８）、少なくとも１つの封止用ガスケット（５）、第１の固定停止部材と第２の可動停止部材との間に配置された戻しばね（３）及びプッシャー頭部（１）を含むモジュール式プッシャーにおいて、前記プッシャーは、封止機能モジュール（１０）を含み、前記封止機能モジュール（１０）は、前記管（７）、前記ステム（８）、前記少なくとも１つの封止用ガスケット（５）、前記戻しばね（３）、前記第１の固定停止部材及び前記第２の可動停止部材、前記封止機能モジュール（１０）を前記ケース（１００）に組み付ける第１の手段、及び前記封止機能モジュール（１０）を前記プッシャー頭部（１）に組み付ける第２の手段を含むことを特徴とする、モジュール式プッシャー。
【請求項９】
前記プッシャー頭部（１）は、非円筒形状である、請求項８に記載のモジュール式プッシャー。
【請求項１０】
前記管（７）は、前記ケース（１００）内への前記管（７）のねじ止めを容易にするために一部が多角形断面の形態の回転駆動手段（７０）を含むことを特徴とする、請求項８又は９に記載のプッシャー。
【請求項１１】
前記プッシャーステム（８）は、第１のねじ端部（８１）を含み、前記プッシャー頭部（１）を、前記第１のねじ端部（８１）、又は前記第１のねじ端部（８１）にねじ止めした挿入体（２）の外側ねじ山（２２）にねじ止めすることを特徴とする、請求項１０に記載のモジュール式プッシャー。
【請求項１２】
前記ステム（８）は、前記管（７）に前記ステム（８）を締結させる第２のねじ端部（８２）、及び前記ステム（８）を回転駆動させるための一部が多角形断面の形態の第２の雄型駆動手段（８３）を含むことを特徴とする、請求項８から１１のうちいずれか一項に記載のモジュール式プッシャー。
【請求項１３】
前記第１の固定停止部材が、前記ガスケット（５）を覆う第１のリング（４）によって形成され、前記第２の可動停止部材が、前記第１の端部にねじ止めした挿入体（２）又は前記ステムと一体化したカラー（２’）によって形成されている、請求項８から１２のうちいずれか一項に記載のモジュール式プッシャー。
【発明の詳細な説明】
【技術分野】
【０００１】
本発明は、プッシャーの組付け方法及びこの方法を実施するための適切なモジュール式プッシャーに関する。
【背景技術】
【０００２】
時計の中間部へのプッシャーの取付けは、一般的にはケースの縁部に設けられたハウジングにプッシャー本体を固定し、次に、プッシャー本体を時計の中間部内に駆動又はねじ止めした後、プッシャーの他の構成要素を組み付けることが知られている。
【０００３】
プッシャー専門製作所の外でプッシャーの各構成要素を中間部に個別に組み付ける必要があることを考えると、第一に、組付けはこの種の構成要素の専門家によって行われていないために、比較的冗長となり、また比較的時間がかかる。第二に、機能部品のいずれも事前に組み付けられていないために、プッシャーを時計の中間部に実際に取り付ける前に組付け完成済みのプッシャーを検査することは不可能である。したがって、この組付けの解決策では、ケースと一体化する前にプッシャーの密封特性及び行程設定を満足に調べることができない。
【０００４】
ねじ止め式プッシャーの組付けを単純化するために、密封部を事前に組み付けるように、封止用ガスケットを事前に装着した管が存在する。この場合、第１のステップにおいて管を中間部内にねじ止めし、次に、第２のステップにおいて、プッシャーの戻しばねを位置決めし、プッシャー頭部を行程終端位置に押し進めた後、内側からステムをねじ止めする。しかし、この解決策の欠点は、封止用ガスケットが、プッシャー・ステムの取付けの際、特にこの作業をプッシャー専門家が行わないときに損傷しやすいことであり、この解決策では、プッシャーの密封及び動作行程の事前検査ができない。
【０００５】
時計の中間部にプッシャーを組み付ける前に個別の構成要素をプッシャーに備えることに関連する欠点を克服するために、スイス国特許第６９２２５５号明細書は、プッシャーを中間部に取り付ける前に完全に組み付け、次に、プッシャー本体に作用する工具を使用して内側から時計ケースにねじ止めする、モジュール式組付けの解決策を提案している。しかし、この解決策の欠点は、特にプッシャー本体とその頭部との間に回転の自由度がない場合には円筒形頭部を有するねじ止め式プッシャーしか適用できないことである。
【０００６】
したがって、こうした公知の制限がない組付け方法が必要とされる。
【先行技術文献】
【特許文献】
【０００７】
【特許文献１】スイス国特許第６９２２５５号明細書
【発明の概要】
【発明が解決しようとする課題】
【０００８】
具体的には、本発明の目的は、限られた数の組付けステップで中間部の上にプッシャーを迅速に取り付けることを可能にする、新規のプッシャー組付け方法を提案することである。
【０００９】
本発明の他の目的は、プッシャーを中間部へ取り付ける前に、プッシャーの動作特徴を個別に検査することを可能にする、プッシャーのモジュール式組付け代替方法を提案することである。
【課題を解決するための手段】
【００１０】
これらの目的は、管、ステム、少なくとも１つの封止用ガスケット及び第１の固定停止部材と第２の可動停止部材との間に配置された戻しばねを含む封止機能モジュールを組み付ける事前ステップ、次に、封止機能モジュールをケースに組み付ける第１のステップ、及び最後に、プッシャー頭部を封止機能モジュールに組み付ける第２のステップを含むことを特徴とする、本発明による、時計ケースへのプッシャーのモジュール式組付け方法によって達成される。
【００１１】
これらの目的は、管、ステム、少なくとも１つの封止用ガスケット、第１の固定停止部材と第２の可動停止部材との間に配置された戻しばね及びプッシャー頭部を含む、本発明のモジュール式組付け方法を実施する適切なモジュール式プッシャーにおいて、プッシャーは、封止機能モジュールを含み、封止機能モジュールは、管、ステム、少なくとも１つの封止用ガスケット及び戻しばね、さらにはプッシャー頭部への封止機能モジュール組付け手段及びケースへの封止機能モジュール組付け手段を含むことを特徴とする、モジュール式プッシャーによっても達成される。
【発明の効果】
【００１２】
本発明によって提案される組付け方法の一つの利点は、本方法を多数のプッシャー頭部及び異なる行程を有するプッシャーに利用できることである。
【００１３】
本発明の組付け方法の他の利点は、本方法が、プッシャー頭部及び管の形状に関わらず、プッシャーのための一様な封止機能システムを提供することである。
【００１４】
提案する解決策のさらなる利点は、アフター・サービスに関し、このアフター・サービスは、事前に組み付けた本体の頭部の変更が今や可能である以上、例えば、プッシャー全体の交換を必要とせず、頭部のみを修理する作業を行うことができることを意味する。同様に、アフター・サービスの間、交換が必要な封止構成要素にアクセスするために、プッシャー全体の交換を必要とせずに頭部を分解することも可能である。
【００１５】
本発明の他の特徴及び利点は、以下の詳細な説明及び図面から明らかになるであろう。
【図面の簡単な説明】
【００１６】
【図１】本発明を実施するための第１の好ましい実施形態によるプッシャーの上面図である。
【図２】図１のプッシャーの断面図である。
【図３】第１のプッシャー・モジュールを中間部に取り付けた後の図２のプッシャーの第２の断面図である。
【図４】プッシャー頭部を最後に取り付ける間の図３のプッシャーの第３の断面図である。
【図５】本発明を実装するための第２の好ましい実施形態によるプッシャーの上面図である。
【図６Ａ】図５のプッシャーの、図５のＡ−Ａ線に沿った第１の断面図である。
【図６Ｂ】図５のプッシャーの、図６ＡのＢ−Ｂ線に沿った第２の断面図である。
【図６Ｃ】図６Ａのプッシャーの、図６ＡのＣ−Ｃ線に沿った第３の断面図である。
【発明を実施するための形態】
【００１７】
図１は、ほぼ平行六面体形状のプッシャー頭部１の上面図を示す。図示される四角形は、わずかに左に向かって先細になった長方形である。すなわち、この長方形の左側は、右側よりもわずかに小さく、したがって２つの長辺は完全に平行ではない。この特定の非円筒形の頭部形状を本発明の第１の好ましい実施形態の実装に使用する。
【００１８】
図２は、図１の断面を示し、時計ケース又は中間部に取り付けることを目的としてプッシャー本体に組み付けたプッシャー頭部１を示す。以下の本発明の好ましい実施形態では、ねじ止め式プッシャー、すなわち、プッシャーの取付けを目的としてプッシャー本体をケース内にねじ止めするねじ止め式プッシャーのみを含む。しかし、本発明が、あらゆる他の様式でケース内に駆動又は締結されるプッシャーにも適用できることは明らかであろう。
【００１９】
図２のプッシャー本体は、ケース１００に組み付けるためのねじ山７１が設けられた管７から構成され、以下で図３及び図４において参照する。この場合、時計ケース１００は、ねじ穴１０２の形態である補完的組付け手段を有し、図面にも示されている。ステム８は管７に取り付けられる。ステムの下側端部には、ステム用第１の回転駆動手段８０を形成する頭部があり、この目的で第１の回転駆動手段８０内に工具を挿入することができる。ねじ頭と同じ形状であるステムの頭部は、管の下側オリフィス７２よりもわずかに広く、これにより、ステム８は、その頭部が管７の底面７３に当接するまでこの端部を介して管７に必然的にねじ込まれる。図２に示す位置は、プッシャー載置位置であり、管７の上側オリフィス内に挿入された戻しばね３は、Ｏリング形の封止用ガスケット５の上に取り付けた第１のリング４によって形成された第１の固定停止部材と、ステム８の上端部に取り付けた挿入体２によって形成された第２の可動停止部材との間に延在することになる。この好ましい実施形態によれば、挿入体２は、ステム８の上端でステム８の第１のねじ切り端部８１に螺合する内側ねじ部２１を含む。挿入体２は、その外側部にねじ山をもち、このねじ山は、プッシャー頭部１を組み付けるためにプッシャー頭部１のねじ穴１１と協働することを目的とする。例えば、ステムの端部上に挿入体を駆動させることなど、他の組付け形態を想定することもできるが、この図に示されるねじ止め式組付けの利点は、ねじ止め式組付けは可逆的であり、したがってプッシャー頭部１をモジュール式に交換可能にすることである。
【００２０】
図２に示される本発明の好ましい実施形態によれば、プッシャーの密封は、互いの方に移動しないように中間リング６によって分離された２つの重ねて置いた封止用ガスケット５を使用することで最適化される。
【００２１】
図３から図４は、本発明による図２のプッシャーに関する異なる組付けステップを示す。プッシャーのステム８が、下側オリフィス７２を通って管７内に挿入されると、封止用ガスケット５、中間リング６及び封止用ガスケット５を覆う第１のリング４の事前位置決めが続き、戻しばね３を前記第１のリング４と（ステムの上端部にねじ止めした）挿入体２との間に位置決めすることができる。この第１のリング４及び挿入体２は、戻しばね３のための第１の固定停止部材及び第２の可動停止部材をそれぞれ形成する。これらの要素のすべてが封止機能モジュール１０を形成する。この封止機能モジュール１０は、プッシャー頭部の形状に関わらず、一様であるという利点を有する。図３は、この実施形態では管７のねじ山７１をケース１００のねじ穴１０２内にねじ止めすることによって、ケースの外側から第１の組付けステップＥ１を行った後の、ケース１００に組み付けた封止機能モジュール１０を示す。この組付けステップを単純化するために、例えば図５及び図６Ａ〜図６Ｄを参照して説明する第２の好ましい実施形態に示すように、管７は特別な駆動手段を有していてもよく、これにより、工具を使用してねじ止め作業を行うことができる。
【００２２】
封止機能モジュール１０をケース１００に組み付ける第１のステップＥ１を行った後、次に、プッシャー頭部１を封止機能モジュール１０に付加してプッシャーの組付けを完成させる必要がある。頭部が非円筒形状で、図３に見られるように、ハウジング１０１が相補的形状であるとき、プッシャー頭部１をハウジング１０１内で回転させることは不可能である。この欠点を克服するために、本発明のモジュール式組付け方法は、実際のステム８を回転駆動させることよって、ステムと一体化した要素（ここでは、その外側部分にねじ山を有する挿入体２である）上にプッシャー頭部１をねじ止めすることを提案するものである。次に、挿入体２は、プッシャー頭部１への直接的な回転作用ではなく、ケース１００のハウジング１０１の底部に頭部を当接させる軸方向への作用のみによって、プッシャー頭部１のねじ穴１１内にねじ止めされる。図２に示した要素と同じ要素の断面を示し、ケース１００、及び管７をねじ止めするケース１００のねじ穴１０２を追加した図４からわかるように、事前に組み付けた封止機能モジュール１０にプッシャー頭部１を組み付ける第２のステップＥ２は、工具（図示せず）の作用によってケース１００の内側から行われ、この工具は、この実施形態では、ステム８の頭部に形成された第１の雌型回転駆動手段８０に作用することによってステム８を回転駆動させる。ステムの頭部は、プッシャー頭部１をハウジング１０１の底部に押し進めたときに管７３の底面から軸方向に解放され、これにより工具をより容易に螺合することができ、同時にプッシャー頭部１の回転を防止する。プッシャー頭部の組付け作業中、ステム８の第１のねじ端部８１から挿入体２のねじが緩んで外れることを防止するために、挿入体の内側ねじ部２１及び挿入体の外側ねじ部２２に、同じ方向を有するねじ山を選択することができる。このことにより、プッシャー頭部１のねじ穴１１の底部が挿入体２に当接するまでは、プッシャー頭部１の挿入体２へのねじ止めが、同時にステム８の第１のねじ端部８１の挿入体へのねじ止めとなる。
【００２３】
プッシャー頭部１を封止機能モジュール１０に組み付ける、この第２のステップは、プッシャー行程の長さを調節可能にはしないが、行程は、所与の形状のクラウン頭部１に対して、例えば挿入体２の高さ及びステム８の第１のねじ端部８１の軸方向への位置決めに直接作用することで事前に調節できることを留意されたい。換言すれば、プッシャー行程は、事前に組み付けた封止機能モジュール１０に直接作用することによって調節することができる。
【００２４】
図５は、本発明のモジュール式組付け方法に使用することができる非円筒形の他の形状を有するプッシャーを示す。プッシャー頭部１は、この実施形態では弓なり形状を有し、ケース又は中間部のスタッド又はピン（図示せず）と協働させる目的であるボア１２を備えている。このボア１２とケースのスタッドとの協働は、プッシャーのハウジングへの正確な角度の位置決め及びプッシャー頭部１を押し進めるときのプッシャー頭部１の案内のために有利であるだけではなく、プッシャー頭部１をハウジングの奥深くに配置することを目的とせず、中間部の外側へ相対的にかなり突出させる実施形態にも有利である。その場合、封止機能モジュール１０の上記第２の組付けステップＥ２の間、スタッドとプッシャ頭部１のボア１２との協働により、プッシャーを押し進めたときに、好ましくはプッシャーが中間部と当接するまでプッシャー頭部１の回転をロックすることを可能にする。
【００２５】
図６Ａは、図５で示されるＡ−Ａ線に沿った、この実施形態のための図２と同様の断面図を示す。
【００２６】
この図では、プッシャーの構成要素のほとんどが図２に示したプッシャーの構成要素と同一である。しかし、この実施形態と図２に例示した実施形態との大きな差異は、ステム８が、その下側部分と一体化した頭部を備えておらず、第２のねじ山を備えていることである。２つの封止用ガスケット５、２つのガスケット間の中間リング６、戻しばね３用の第１の固定停止部材を形成する第１のリング４及び戻しばねを事前に位置決めした後、第２のねじステム端部８２はナット９に組み付けられ、このナット９は管７３の底面に当接して取り付けられて、ステム８の管７への組付けを完成させる。代替実施形態（図示せず）によれば、ナット９及びねじステム端部８２の代わりに、保持サークリップをステム８の底端部に設けた溝に係着することができる。この解決策の１つの利点は、アフター・サービスの間、ステム８を取り外すことを容易にすることである。しかし、ナット９との違いは、サークリップではステム８を回転駆動させる手段として使用できないという欠点がある。ステム８はカラー２’も含み、しかし、代替実施形態によれば、このカラー２’はステムとは異なり、取り外し可能な部分から構成することができる。このカラー２’の機能は、挿入体２の機能と同様である。すなわち、戻しばね３用可動停止部材及びプッシャー頭部１の取付け用停止部材を実現する。したがって、図２の実施形態とは異なり、ステム８は、この実施形態では、管７の下側オリフィス７２を通って挿入されるのではなく、上側オリフィス７４を通って挿入され、次にナット９を介して管７の下側面７４上に固定されることは明らかであろう。管７の上部では、回転駆動手段７０は、一部が八角形断面の形態で構成され、詳細には、管７、ステム８及び戻しばね３の断面を示す図３のＣ−Ｃ線に沿った断面図である図６Ｃに示されている。この駆動手段により、プッシャー頭部１（第１の組付けステップＥ１の間にケースに組み付けられる）を除いて、管に組み付けるすべての構成要素を含めた封止機能モジュール（見やすさのためにこの図では参照しない）の組付けを容易にする。
【００２７】
プッシャー頭部１を封止機能モジュール１０に組み付ける第２のステップＥ２において、この実施形態の原理は、上記実施形態、すなわちケース１００内部に挿入された工具（図６Ａ〜図６Ｃには図示せず）を介してステム８を回転駆動させることによりプッシャー頭部１をねじ止めするステップと同じである。しかし、この実施形態では、ねじ止め作業は、上記挿入体２のような、ステム８に締結した構成要素には行わず、ステムの第１のねじ端部８１に直接行う。さらに、上記実施形態との他の差異は、中間部の内部に挿入する工具はより複雑なものであるということである。これというのは、工具は、図２のねじ頭のような第１の雌型駆動手段８０には螺合せず、ナット９を越えて位置する一部が八角形断面状の第２の雄型駆動手段８３に係合するためであり、この第２の雄型駆動手段８３は、ステム８の底端部に位置し、詳細には図６Ｂに示される。図６Ｂは、図６Ａに示すＢ−Ｂ線に沿った断面図であり、管７及びそのねじ山７１も示す。プッシャー頭部１を封止機能モジュール１０に組み付ける第２のステップＥ２において、プッシャー頭部１を押し進めると、ナット９をねじ止めしたステム８の底端部は、（図４の底部にあるステムの頭部と同じような）管の底部オリフィス７２から軸方向に解放され、八角形断面のこの部分が管７の外側に現れる。したがって、八角形断面のこの部分を工具で把持してステム８を回転駆動させることができる。工具がナット９の上を通過して八角形断面のこの部分を把持する必要があることを考えると、工具は例えばフォークであってもよい。理論上は、工具をナット９に直接作用させ、ステム８を回転駆動させることは可能であるが、ナット９のねじを誤って緩めるといったあらゆる危険を回避するために第２の雄型回転駆動手段８３に作用することが好ましい。
【００２８】
プッシャー頭部１を封止機能モジュール１０に組み付ける、この第２のステップにおいて、ステム８をカラー２’と当接するまでプッシャー頭部１のねじ穴１１内にねじ止めすることができる。
【００２９】
提案したモジュール式組付け方法の利点は、第一に、事前に封止機能モジュールを外側から組み付け、次に、任意形状の頭部を内側から組み付けることにより、例えば、専用製作所で事前に検査することができるプッシャー行程の長さ及び封止などの機能特性に影響を与えることなく、あらゆる種類のプッシャーをより迅速に組み付けることが可能になることである。したがって、説明した２つの実施形態では、管７のねじ山７１は、第１の組付けステップＥ１で使用することになる第１の組付け手段から構成され、一方で、プッシャー頭部１のねじ穴１１に螺合される挿入体２の外側ねじ山２２及びステム８の第１のねじ端部８１のそれぞれは、第２の組付けステップＥ２で使用される封止機能モジュール１０をプッシャー頭部１に組み付ける第２の手段から構成される。
【００３０】
代替実施形態によれば、プッシャー頭部１をねじ止めし、ステム８を回転駆動させるためにケース内部への工具の挿入を必要とする代わりに、プッシャー頭部１は、ケースに事前に組み付けた封止機能モジュール内で外側から直接駆動させることができる。頭部を組み付けるこの最後の方法は、例えば図２に示すプッシャー、すなわち挿入体２を使用するプッシャーに適合させてもよく、この場合、挿入体２の外周にねじ部はない。この種類の挿入体は、プッシャー頭部を挿入体２に保持するために十分な摩擦力を印加できるように、プッシャー頭部１との比較的大きな接触面を有する。この代替組付け方法は、第２の組付けステップＥ２を簡単にするのでより迅速であるという利点を有する。しかし、プッシャー頭部と封止機能モジュールとの間を取り外し可能に接続しないという欠点を有する。さらに、この接続の力は小さく、構成要素の弾性変形応力が減少した一定期間後にプッシャー頭部１が中間部から脱落するおそれがあるといったおそれを伴う。
【００３１】
工具の規格化の理由で、様々な駆動手段の断面は八角形のものを好ましく選択したが、あらゆる他の適切な形状（例えば四角形、六角形等）も想定し得ることは、当業者にとっては明らかであろう。
【符号の説明】
【００３２】
１  プッシャー頭部
２  挿入体
２’  カラー
３  戻しばね
４  第１のリング
５  封止用ガスケット
６  中間リング
７  管
８  ステム
９  ナット
１０  封止機能モジュール
１１  ねじ穴
７０  回転駆動手段
８０  第１の雌型回転駆動手段
８１  第１のねじ端部
２２  外側ねじ山
８３  第２の雄型駆動手段
１００  時計ケース
１０１  プッシャー・ハウジング
Ｅ１  第１のステップ
Ｅ２  第２のステップ
【図１】
2014122899.tif 000003
【図２】
2014122899.tif 000004
【図３】
2014122899.tif 000005
【図４】
2014122899.tif 000006
【図５】
2014122899.tif 000007
【図６Ａ】
2014122899.tif 000008
【図６Ｂ】
2014122899.tif 000009
【図６Ｃ】
2014122899.tif 000010